(57)【特許請求の範囲】
【請求項１】
上面と斜め上を向いた斜面とを含んで内部空間を画定するスピーカボックスと、
前記スピーカボックスの前記斜面に装着され斜め上に向けて放音するスピーカと、
前記スピーカボックスの内部空間から前記上面を貫通して立設され、上部に、電子打楽器を前記斜面の前方が演奏位置となるべく取り付ける取り付け部を設けた伸縮自在なスタンドとを備えたことを特徴とするスピーカ装置。
【発明の詳細な説明】
【０００１】
【発明の属する技術分野】
本発明は、内部空間を画定するスピーカボックスにスピーカが装着されたスピーカ装置に関する。
【０００２】
【従来の技術】
手のひらやスティックでパッドを打撃することにより楽音波形の生成が行われる電子打楽器を演奏する場合には、この電子打楽器を図１に示すようなスタンドに取り付けて演奏操作を行う。
【０００３】
図１は、電子打楽器が取り付けられたスタンドの斜視図である。
【０００４】
図１に示すスタンド８には、電子打楽器９の陰になって図示されていないホルダを介して、電子打楽器９が取り付けられている。図１に示すスタンド８は、三脚タイプのスタンドであって、開閉自在な三本の脚部８１と、高さ調節自在なパイプ部材８２とを備えている。パイプ部材８２は、外パイプ８２１と内パイプ８２２とからなる二重筒構造であって、外パイプ８２１内での内パイプ８２２の位置を変化させることにより伸縮するものである。ユーザは、脚部調整ネジ８３を弛めて脚部８１を操作することで、三本の脚部８１の開き具合を調整し、このスタンド８を安定させる。また、高さ調整ネジ８４を弛めて外パイプ８２１内での内パイプ８２２の位置を変化させることでこのスタンド８の高さを調整し、取り付けた電子打楽器９の高さを演奏操作しやすい高さにする。
【０００５】
図１に示す電子打楽器９には、図示しないアンプを介して同じく図示しないスピーカが接続されており、電子打楽器９を演奏操作することによって生成された楽音波形は、このスピーカから空間に実際の音として放音される。
【０００６】
【発明が解決しようとする課題】
スピーカが、演奏者のモニター用のスピーカである場合に、電子打楽器とスピーカの位置があまりに離れていると、演奏位置と放音位置とが大きくズレていることになり、演奏者に違和感を与える。一方、演奏者の足元にスピーカを配置すると、演奏位置と放音位置とに大きなズレは生じないものの、今度はスピーカがスタンドの脚部の邪魔となる。
【０００７】
本発明は、上記事情に鑑み、演奏位置と放音位置との大きなズレによる違和感を生じさせないことと、スタンドを立たせておくのに邪魔にならないことを両立させたスピーカ装置を提供することを目的とする。
【０００８】
【課題を解決するための手段】
上記目的を達成する本発明のスピーカ装置は、
上面と斜め上を向いた斜面とを含んで内部空間を画定するスピーカボックスと、
上記スピーカボックスの上記斜面に装着され斜め上に向けて放音するスピーカと、
上記スピーカボックスの内部空間から上記上面を貫通して立設され、上部に、電子打楽器を上記斜面の前方が演奏位置となるべく取り付ける取り付け部を設けた伸縮自在なスタンドとを備えたことを特徴とする。
【０００９】
本発明のスピーカ装置では、スピーカが上記斜面に装着され斜め上に向けて放音するものでるあるため、このスピーカ装置を地面に置いて、上記斜面の前で演奏すれば、演奏位置と放音位置との大きなズレは生じず、演奏者に違和感を与えることはない。また、本発明のスピーカ装置は、スタンドを備え、そのスタンドは、上記スピーカボックスの内部空間から上記上面を貫通して立設されたものであるため、本発明のスピーカ装置では、スタンドを立たせておくのに邪魔になるという問題は生じない。
【００１０】
【発明の実施の形態】
以下、本発明の実施形態について説明する。
【００１１】
図２は、本発明の一実施形態であるスピーカ装置を演奏者側の斜め上から見た外観斜視図である。
【００１２】
本実施形態のスピーカ装置１は、上面１０１と斜め上を向いた斜面１０２とを含んで内部空間を画定するスピーカボックス１０を備えている。スピーカボックス１０の下面１０３の大きさは十分な大きさであって、図２に示すスピーカ装置１は、ぐらつくことなく地面に配置されている。また、このスピーカ装置１は、スピーカ２０も備えているが、スピーカ２０は、メッシュ１１によって覆われている。スピーカ２０は、スピーカボックス１０の斜面１０２に、その斜面１０２に沿って装着されている。したがって、このスピーカ２０から放音される音は、斜め上に向けて放音される。また、スピーカボックス１０の内部には、このスピーカ２０を駆動する不図示のアンプが設けられており、スピーカボックス１０の斜面１０２の、スピーカ２０が装着された隣の領域には、そのアンプをコントロールするコントロールパネル１２が設けられている。なお、図面の簡明化のため、コントロールパネル１２に設けられている各種操作子等は図示省略されている。さらに、本実施形態のスピーカ装置１は、電子打楽器が取り付けられるスタンド３０も備えており、図２には、このスタンド３０に電子打楽器２が取り付けられた状態が示されている。電子打楽器２は、スピーカボックス１０の斜面１０２の前に演奏者が立って演奏できるように取り付けられている。したがって、電子打楽器２の演奏者が演奏した楽音は、演奏者自身の足元から演奏者に向けて斜め上に放音される。そのため、演奏者は、演奏位置と放音位置とのズレによる違和感を感じることなく、演奏操作を行うことができる。スタンド３０は、パイプ部材３１と、２つの締付具３２とを備えている。ここで、図３を用いて、このスタンド３０について詳述する。
【００１３】
図３は、図２に示すスピーカ装置が備えているスタンドの分解斜視図である。
【００１４】
図３に示すように、このスタンド３０のパイプ部材３１は、太さの異なる３本のパイプからなるものである。図３に１点鎖線の矢印で示すように、これら３本のパイプのうち、図３の左端に示された細パイプ３１１は中央に示された中パイプ３１２内に挿入され、この中パイプ３１２は右端に示された太パイプ３１３内に挿入される。すなわち、図３の右端に示された太パイプ３１３の内径は、中央に示された中パイプ３１２の外径よりも大きく、この中パイプ３１２の内径は、左端に示された細パイプ３１１の外径よりも大きい。このようなパイプ部材３１では、太パイプ３１３内から中パイプ３１２を引き出し、引き出された中パイプ３１２から細パイプ３１１をさらに引き出すことで、スタンド３０の長さは最長になる。一方、細パイプ３１１を中パイプ３１２内に押し戻し、細パイプ３１１が押し戻された中パイプ３１２をさらに太パイプ３１３内に押し戻すことで、スタンド３０の長さは最短になる。また、中パイプ３１２と、太パイプ３１３それぞれの上端には締付具３２が嵌着されている。これらの締付具３２それぞれは、調整ネジ３２１を有するものである。中パイプ３１２に嵌着された締付具３２の調整ネジ３２１を締め込んでいくと、調整ネジ３２１の締め付けに従って締付具３２が変形し細パイプ３１１を締め付け、細パイプ３１１の位置を固定する。太パイプ３１３に嵌着された締付具３２の調整ネジ３２１も、同様な作用によって中パイプ３１２の位置を固定する。また、細パイプ３１１の上端開口には、異物が細パイプ３１１内に入ることを防止するためプラスチックキャップ３３が嵌め込まれている。
【００１５】
続いて、図４を用いて、図２に示すスピーカ装置における、スタンド３０とスピーカボックス１０との関係について説明する。
【００１６】
図４は、図２に示すスピーカ装置の側面断面図である。
【００１７】
この図４には、中パイプ３１２と細パイプ３１１それぞれを半分程度引き出した状態のスピーカ装置１が示されている。太パイプ３１３の一端はスピーカボックス１０の下面１０３に固定され、他端はスピーカボックス１０の上面１０１を貫通し上面１０１から突出している。太パイプ３１３の、突出した端部には、締付具３２が嵌着されている。
【００１８】
次に、図５を用いて、太パイプ３１３の、スピーカボックス下面１０３への固定構造について説明する。
【００１９】
図５は、太パイプの、スピーカボックス下面への固定構造を拡大表示した図である。
【００２０】
この図５に示すように、太パイプ３１３は、取付リブ１３１を周囲に有する筒状の固定金具１３に差し込まれている。この固定金具１３は、取付リブ１３１をスピーカボックス下面１０３の裏面に４箇所ネジ止めすることによってスピーカボックス１０の下面１０３に取り付けられている。また、太パイプ３１３は、回転防止のため、固定金具１３に差し込まれた状態で、固定金具１３にネジ止めされている。本実施形態のスピーカ装置１では、このような固定構造によって、スタンド３０がスピーカボックス１０に固定されているため、図１に示すスタンド８のような脚部８１は不要となり、このスピーカ装置１では、スタンドを立たせておくのに邪魔になるという問題は生じない。なお、太パイプ１３の、スピーカボックス１０への固定構造は、図５に示すような固定構造に限られることはなく、さらには、固定位置も、下面１０３に限られることはなく、スピーカボックス１０の内部空間内であればどこでもよい。
【００２１】
続いて、図６を用いて、スピーカボックス上面１０１の、太パイプ３１３の貫通構造について説明する。
【００２２】
図６は、スピーカボックス上面の、太パイプの貫通構造を拡大表示した図である。
【００２３】
この図６に示すように、スピーカボックスの上面１０１には、貫通孔１０１ａが設けられている。この貫通孔１０１ａには、図５に示した固定金具と同じ固定金具１３が、図５に示した向きとは逆向きに差し込まれ、太パイプ３１３は、この差し込まれた固定金具の筒状部１３２を通って、スピーカボックス上面１０１に突出している。この固定金具１３は、取付リブ１３１をスピーカボックス上面１０１の表面に４箇所ネジ止めすることによってスピーカボックス上面１０１に取り付けられている。本実施形態のスピーカ装置１では、このような貫通構造を考慮してスピーカのチューニングが施されている。
【００２４】
また、図７を用いて、電子打楽器の、スタンド３０への取り付け構造について説明する。
【００２５】
図７は、電子打楽器が取り付けられた本実施形態のスピーカ装置の細パイプ上部付近を斜め下から見た斜視図である。
【００２６】
本実施形態のスピーカ装置１では、電子打楽器２は、図７に示すように、ホルダ３を介してスタンド３０に取り付けられる。このホルダ３は、細パイプ３１１の上端に装着され、電子打楽器２の、上下方向の取付角度や左右方向の取付向きを調整することができるものである。すなわち、角度調整ネジ３ａを緩めて操作することでアーム３ｂが上下方向に回動し、電子打楽器２の上下方向の取付角度を調整することができる。また、向き調整ネジ３ｃを緩めて操作することで電子打楽器２の底面に取り付けられた基台３ｄが回動し、電子打楽器２の左右方向の取付向きを調整することができる。なお、本実施形態のスピーカ装置１に取り付ることができる電子打楽器は、図７に示すものに限ったものではなく、本実施形態のスピーカ装置１には、様々な電子打楽器を取り付けることができるよう、様々な電子打楽器に応じた様々な形状のホルダが用意されている。
【００２７】
最後に、図８を用いて、スタンド３０の長さを最短にした状態のスピーカ装置について説明する。
【００２８】
図８は、図２に示すスピーカ装置のスタンドの長さを最短にした状態を示す、スピーカ装置の外観斜視図である。
【００２９】
図２には、中パイプと細パイプそれぞれを半分程度引き出した状態のスタンドに電子打楽器が取り付けられたスピーカ装置１が示されているが、この図８には電子打楽器とホルダを取り外し、細パイプ３１１を中パイプ３１２内に押し戻すとともに中パイプ３１２も太パイプ３１３内に押し戻した状態のスピーカ装置１が示されている。この図８に示すように、本実施形態のスピーカ装置１では、スタンド３０の長さを最短にすると、スピーカボックス１０の上面１０１からはスタンド３０の先端部分がわずかに突出するだけとなり、スピーカ装置１の持運び時や収納時にスタンド３０が邪魔になることはない。
【００３０】
なお、本実施形態のスピーカ装置１が有するスタンド３０には、電子打楽器に限らずアコーステックな打楽器も取り付けることができる。また、このスタンド３０は、譜面立てやマイクロフォンのスタンド等としても使用することができる。さらに、このスタンド３０は、３本のパイプを備えているが、パイプの数は３本に限らず、２本であっても、４本以上であってもよい。
【００３１】
【発明の効果】
以上、説明したように、本発明のスピーカ装置によれば、演奏位置と放音位置との大きなズレによる違和感を生じさせないことと、スタンドを立たせておくのに邪魔にならないことを両立させることができる。
【図面の簡単な説明】
【図１】電子打楽器が取り付けられたスタンドの斜視図である。
【図２】本発明の一実施形態であるスピーカ装置を演奏者側の斜め上から見た外観斜視図である。
【図３】図２に示すスピーカ装置が備えているスタンドの分解斜視図である。
【図４】図２に示すスピーカ装置の側面断面図である。
【図５】太パイプの、スピーカボックス下面への固定構造を拡大表示した図である。
【図６】スピーカボックス上面の、太パイプの貫通構造を拡大表示した図である。
【図７】電子打楽器が取り付けられた本実施形態のスピーカ装置の細パイプ上部付近を斜め下から見た斜視図である。
【図８】図２に示すスピーカ装置のスタンドの長さを最短にした状態を示す、スピーカ装置の外観斜視図である。
【符号の説明】
１    スピーカ装置
１０    スピーカボックス
１０１    上面
１０１ａ    貫通孔
１０２    斜面
１０３    下面
１１    メッシュ
１２    コントロールパネル
１３    固定金具
１３１    取付リブ
１３２    筒状部
２０    スピーカ
３０    スタンド
３１    パイプ部材
３１１    細パイプ
３１２    中パイプ
３１３    太パイプ
３２    締付具
３２１    調整ネジ
３３    プラスチックキャップ
２    電子打楽器
３    ホルダ
【図１】
0003958074.tif 000002
【図２】
0003958074.tif 000003
【図３】
0003958074.tif 000004
【図４】
0003958074.tif 000005
【図５】
0003958074.tif 000006
【図６】
0003958074.tif 000007
【図７】
0003958074.tif 000008
【図８】
0003958074.tif 000009